(57)【特許請求の範囲】
【請求項１】
クロック信号に基づいて動作する複数の回路ブロックとＣＰＵとを有する集積回路装置であって、
第１のクロック信号を出力する水晶発振回路と、
前記第１のクロック信号を入力し周波数拡散させた第２のクロック信号を出力する周波数拡散発振器と、
前記第１、第２のクロック信号を入力し、第１の信号に基づいて複数の回路ブロック及び前記ＣＰＵへ出力するクロック信号を選択するクロック選択回路とを有し、
前記周波数拡散発振器は、第２の信号に基づいて前記周波数拡散発振器の電源のオンとオフとを切替えるスイッチを備え、
前記ＣＰＵが低消費電力モードへ移行する際に、前記ＣＰＵは前記第１の信号および前記第２の信号を出力し、前記クロック選択回路による前記第１のクロック信号の選択と、前記スイッチの切替えによる前記周波数拡散発振器の電源のオフとを行うことを特徴とする集積回路装置。
【請求項２】
クロック信号に基づいて動作する複数の回路ブロックとＣＰＵとを有する集積回路装置であって、
第１のクロック信号を出力する水晶発振回路と、
前記第１のクロック信号を入力し周波数拡散させた第２のクロック信号を前記複数の回路ブロック及び前記ＣＰＵに対して出力する周波数拡散発振器とを有し、
前記周波数拡散発振器は、前記ＣＰＵからの指示に基づき前記周波数拡散機能のオン／オフを切替えるスイッチを備え、前記スイッチの切替えにより前記周波数拡散機能をオフすることで前記第１のクロック信号を出力し、
前記ＣＰＵが低消費電力モードへ移行する際に、前記ＣＰＵは、前記周波数拡散発振器に対する前記周波数拡散機能のオフの指示と、前記回路ブロックに対する動作モードからスタンバイモードへのモード移行の指示とを行うことを特徴とする集積回路装置。
【請求項３】
前記複数の回路ブロックのうち少なくとも１つの回路ブロックは前記スイッチの状態にかかわらず、常に前記水晶発振回路が出力する前記第１のクロック信号に基づいて動作することを特徴とする請求項１または２に記載の集積回路装置。
【請求項４】
前記集積回路装置は前記第１のクロック信号の周波数を分周して第３のクロック信号を出力する周波数変換回路を有し、前記周波数変換回路は前記第３のクロック信号を前記所定のブロック回路へ出力することを特徴とする請求項１から３のいずれかに記載の集積回路装置。
【請求項５】
前記所定の回路ブロックは前記集積回路装置の外部から入力する信号の検知をする回路ブロックであることを特徴とする請求項４に記載の集積回路装置。
【請求項６】
前記集積回路装置は１チップで構成されていることを特徴とする請求項１から５のいずれかに記載の集積回路装置。
【請求項７】
記録ヘッドを用いた記録制御をおこなう集積回路装置を有するインクジェット記録装置であって、
前記集積回路装置は、
クロック信号に基づいて動作する複数の回路ブロックとＣＰＵと、
第１のクロック信号を出力する水晶発振回路と、
前記第１のクロック信号を入力し周波数拡散させた第２のクロック信号を出力する周波数拡散発振器と、
前記第１、第２のクロック信号を入力し、第１の信号に基づいて複数の回路ブロック及び前記ＣＰＵへ出力するクロック信号を選択するクロック選択回路とを有し、
前記周波数拡散発振器は、第２の信号に基づいて前記周波数拡散発振器の電源のオンとオフとを切替えるスイッチを備え、
前記インクジェット記録装置が待機状態へ移行する際に、前記ＣＰＵは前記第１の信号および前記第２の信号を出力し、前記クロック選択回路による前記第１のクロック信号の選択と、前記スイッチの切替えによる前記周波数拡散発振器の電源のオフとを行うことを特徴とするインクジェット記録装置。
【請求項８】
記録ヘッドを用いた記録制御をおこなう集積回路装置を有するインクジェット記録装置であって、
前記集積回路装置は、
クロック信号に基づいて動作する複数の回路ブロックとＣＰＵと、
第１のクロック信号を出力する水晶発振回路と、
前記第１のクロック信号を入力し周波数拡散させた第２のクロック信号を前記複数の回路ブロック及び前記ＣＰＵに対して出力する周波数拡散発振器とを有し、
前記周波数拡散発振器は、前記ＣＰＵからの指示に基づき前記周波数拡散機能のオン／オフを切替えるスイッチを備え、前記スイッチの切替えにより前記周波数拡散機能をオフすることで前記第１のクロック信号を出力し、
前記インクジェット記録装置が待機状態へ移行する際に、前記ＣＰＵは、前記周波数拡散発振器に対する前記周波数拡散機能のオフの指示と、前記回路ブロックに対する動作モードからスタンバイモードへのモード移行の指示とを行う
を特徴とするインクジェット記録装置。
【請求項９】
前記回路ブロックは、前記記録ヘッドの制御、前記インクジェット記録装置が接続される外部機器との通信制御、前記インクジェット記録装置の操作／表示パネルの制御、のうちのいずれかを行うことを特徴とする請求項７または８に記載のインクジェット記録装置。
【発明の詳細な説明】
【０００１】
【発明の属する技術分野】
本発明は、クロック生成手段に周波数拡散機能を用いた記録装置について消費電力を抑制するための制御に関するものである。
【０００２】
【従来の技術】
記録装置（プリンター）は出力する画像の高画質化、画像を記録する速度の向上に対応するために制御回路が複雑になり、制御回路の動作速度も高速化している。このために、制御回路に供給するクロック信号の周波数も高くなり、例えば回路規模の大きいＡＳＩＣが輻射するＥＭＩ（ＥｌｅｃｔｒｏｍａｇｎｅｔｉｃＩｎｔｅｒｆｅｒｅｎｃｅ）ノイズのレベルが高くなってきている。
【０００３】
この対策として周波数拡散発振器（Ｓｐｅｃｔｒｕｍ  Ｓｐｒｅａｄ  Ｃｌｏｃｋ  Ｇｅｎｅｒａｔｏｒ  略称ＳＳＣＧ）という半導体素子が用いられている。周波数拡散とは、水晶振動子などの発振素子から得られる周波数が固定されたクロック信号を予め決められたプロファイルで周波数を周期的に変動させることである。周波数拡散発振器で周波数拡散を施すことで回路から出されるＥＭＩノイズを発生させる周波数を分散させて、ＥＭＩノイズの発生を抑制することができる。
【０００４】
近年、プリンターの省電力化が求められており、記録動作を行わないスタンバイ時には、制御回路にあるＣＰＵは省電力モードで待機している。そして、記録装置にある操作パネルのキー操作を行うことで省電力モードから通常モードへ移行して記録動作を行っていた。この他に、ホストコンピューター等で動作するソフトウエア（プリンタードライバー等）からの指示によって省電力モードから通常モードへ移行できる。また、オートパワーオフ機能を有する記録装置もあり、この装置は記録動作後に所定時間経過すると省電力モードに移行する。
【０００５】
【発明が解決しようとする課題】
しかしながら、周波数拡散発振器はＥＭＩノイズの発生を抑制できる反面、他の半導体素子に比べ消費電力が比較的大きく、周波数拡散発振器を用いた回路の消費電力が増加する。この消費電力の増加はスタンバイ状態の消費電力を例えば０．１Ｗ以下にすることを目標とした場合、プリンター等のような周波数拡散発振器を有する機器にとって課題となっている。
【０００６】
【課題を解決するための手段】
上記課題を解決するために、本発明の集積回路装置は、クロック信号に基づいて動作する複数の回路ブロックとＣＰＵとを有する集積回路装置であって、第１のクロック信号を出力する水晶発振回路と、  前記第１のクロック信号を入力し周波数拡散させた第２のクロック信号を出力する周波数拡散発振器と、前記第１、第２のクロック信号を入力し、第１の信号に基づいて複数の回路ブロック及び前記ＣＰＵへ出力するクロック信号を選択するクロック選択回路とを有し、前記周波数拡散発振器は、第２の信号に基づいて前記周波数拡散発振器の電源のオンとオフとを切替えるスイッチを備え、前記ＣＰＵが低消費電力モードへ移行する際に、前記ＣＰＵは前記第１の信号および前記第２の信号を出力し、前記クロック選択回路による前記第１のクロック信号の選択と、前記スイッチの切替えによる前記周波数拡散発振器の電源のオフとを行うことを特徴とする集積回路装置である。また、本発明の別の集積回路装置は、クロック信号に基づいて動作する複数の回路ブロックとＣＰＵとを有する集積回路装置であって、第１のクロック信号を出力する水晶発振回路と前記第１のクロック信号を入力し周波数拡散させた第２のクロック信号を前記複数の回路ブロック及び前記ＣＰＵに対して出力する周波数拡散発振器とを有し、前記周波数拡散発振器は、前記ＣＰＵからの指示に基づき前記周波数拡散機能のオン／オフを切替えるスイッチを備え、前記スイッチの切替えにより前記周波数拡散機能をオフすることで前記第１のクロック信号を出力し、前記ＣＰＵが低消費電力モードへ移行する際に、前記ＣＰＵは、前記周波数拡散発振器に対する前記周波数拡散機能のオフの指示と、前記回路ブロックに対する動作モードからスタンバイモードへのモード移行の指示とを行うことを特徴とする集積回路装置である。
【０００８】
本発明のインクジェット記録装置は、記録ヘッドを用いた記録制御をおこなう集積回路装置を有するインクジェット記録装置であって、前記集積回路装置は、クロック信号に基づいて動作する複数の回路ブロックとＣＰＵと、第１のクロック信号を出力する水晶発振回路と、  前記第１のクロック信号を入力し周波数拡散させた第２のクロック信号を出力する周波数拡散発振器と、前記第１、第２のクロック信号を入力し、第１の信号に基づいて複数の回路ブロック及び前記ＣＰＵへ出力するクロック信号を選択するクロック選択回路とを有し、前記周波数拡散発振器は、第２の信号に基づいて前記周波数拡散発振器の電源のオンとオフとを切替えるスイッチを備え、前記インクジェット記録装置が待機状態へ移行する際に、前記ＣＰＵは前記第１の信号および前記第２の信号を出力し、前記クロック選択回路による前記第１のクロック信号の選択と、前記スイッチの切替えによる前記周波数拡散発振器の電源のオフとを行うことを特徴とするインクジェット記録装置である。また、本発明の別のインクジェット記録装置は、記録ヘッドを用いた記録制御をおこなう集積回路装置を有するインクジェット記録装置であって、前記集積回路装置は、クロック信号に基づいて動作する複数の回路ブロックとＣＰＵと、第１のクロック信号を出力する水晶発振回路と、前記第１のクロック信号を入力し周波数拡散させた第２のクロック信号を前記複数の回路ブロック及び前記ＣＰＵに対して出力する周波数拡散発振器とを有し、前記周波数拡散発振器は、前記ＣＰＵからの指示に基づき前記周波数拡散機能のオン／オフを切替えるスイッチを備え、前記スイッチの切替えにより前記周波数拡散機能をオフすることで前記第１のクロック信号を出力し、前記インクジェット記録装置が待機状態へ移行する際に、前記ＣＰＵは、前記周波数拡散発振器に対する前記周波数拡散機能のオフの指示と、前記回路ブロックに対する動作モードからスタンバイモードへのモード移行の指示とを行うことを特徴とするインクジェット記録装置である。
【０００９】
【発明の実施の形態】
【実施例】
図１は、本発明におけるインクジェット記録装置（プリンター）の斜視図である。１０５は記録ヘッドであり、キャリッジ１０４上に搭載されてシャフト１０３に沿って長手方向に往復運動可能となっている。記録ヘッドより吐出されたインクは、記録ヘッドと微小な間隔をおいて、プラテン１０１に記録面を規制された被記録材１０２に到達し、その上に画像を形成する。
【００１０】
記録ヘッドには、フレキシブルケーブル１１９を介して画像データに応じて吐出信号が供給される。なお、１１４はキャリッジ１０４をシャフト１０３に沿って走査させるためのキャリッジモーターである。１１３はモーター１１４の駆動力をキャリッジ１０４に伝達するワイヤである。また、１１８はプラテンローラー１０１に結合して被記録材１０２を搬送させるための搬送モーターである。このインクジェット記録装置はパソコンなどのホストコンピューターとＩＥＥＥ１２８４インターフェースで接続されており、ホストコンピューターから送られてくる画像データを受信すると、キャリッジが往復動作を行い被記録材に画像の記録を行う。そして、記録動作を完了して所定時間経過すると待機状態に移行する。
【００１１】
なお、記録ヘッドの解像度は６００ＤＰＩである。この記録ヘッドは、インクジェット方式で１２８本の記録素子が配列されている。記録素子は駆動部とノズルから構成されており、駆動部は、電気熱変換体（吐出ヒーター）によりインクに熱を与えることが可能になっている。この熱によりインクは膜沸騰し、この膜沸騰による気泡の成長または収縮によって生じる圧力変化によって、ノズルからインクが吐出される。
【００１２】
図８はインクジェット記録装置を制御する制御回路のブロック図である。８０１はホストコンピューター等の外部機器である。８００はＡＳＩＣである。このＡＳＩＣにはＣＰＵ８００ａが含まれている。８０２はＲＯＭであり、ＣＰＵはＲＯＭに格納されている制御プログラムに基づいて動作する。また、８０３はＲＡＭであり、ＣＰＵが動作するためのワークエリア、外部機器からのデータを一時保存する受信バッファ、記録ヘッドへ転送するデータを保存する転送バッファ等を有する。８０４はキャリッジモーター、８０５は搬送モーター、８０６は記録ヘッド、８０７は操作部／表示部である。
【００１３】
ＡＳＩＣ８００にはＣＰＵの他に８００ｂ〜８００ｆの５つの回路ブロックがある。これらの回路ブロックはそれぞれ、モーター制御、記録ヘッドの制御、操作／表示パネルの制御、外部機器（ホストコンピューター、携帯機器、デジタルカメラなど）との通信制御、記録データの作成（画像データの処理）を行っている。
【００１４】
これらの回路ブロックは２つのモードを有する。そのモードは動作モードとスタンバイモードである。動作モードは記録装置が記録動作などを行うためのモードである。スタンバイモードは最低限の機能しか働かないが消費電力を下げることができ、記録装置が待機するためのモードである。ＣＰＵは各回路ブロックに対し必要に応じて指示を出し、各回路ブロックのモードを切り替えることができる。
【００１５】
また、ＣＰＵは３つのモードを有する。このモードは通常モードとＨＡＬＴモードとＳＴＯＰモードである。ＨＡＬＴモードとＳＴＯＰモードでのＣＰＵの消費電力は通常モードの消費電力より低い。記録装置が待機状態になる場合、ＣＰＵはＨＡＬＴモードへ移行する。
【００１６】
＜第１の実施例＞
図２は第１の実施例の制御回路を説明するブロック図である。２００は、制御回路を動作させるためのクロック信号を生成する発振子を有する発振回路である。この発振回路で生成されたクロックはＡＳＩＣ２０１に入力される。このＡＳＩＣ２０１はＣＰＵ２０２を有する。発振回路２００から出力されたクロック信号は、周波数拡散発振器（ＳＳＣＧ）２０３に入力され、周波数拡散されたクロック信号に変換される。この周波数拡散発振器の消費電流は約２０ｍＡである。
【００１７】
周波数拡散が施されたクロック信号は、ＡＳＩＣの回路に供給され、ＡＳＩＣ内部のＣＰＵ２０２や回路ブロック２０５に供給される。この周波数拡散発振器は周波数拡散機能のオン／オフスイッチＳＷ２を有する。このオン／オフスイッチＳＷ２はＣＰＵからの制御信号Ｌ２（または指示）で切り替えられる。
【００１８】
インクジェット記録装置が待機状態になる場合に、ＣＰＵからの制御信号が出力され、オン／オフスイッチＳＷ２がオフに切り替えられて周波数拡散が施されないクロック信号が回路ブロックに供給される。インクジェット記録装置が待機状態になるタイミングは、例えば記録動作の終了後、ユーザーの操作、ホストコンピューターからのデータ受信の終了時等である。この待機状態への移行する時、回路ブロックはスタンバイモードへ移行する。ＣＰＵ２０２は回路ブロックへモード移行の指示を出した後に、例えば通常モードからＨＡＬＴモードに移行する。これによってＣＰＵ２０２と回路ブロックは低消費電力モードとなり制御回路の消費電力は低減する。
【００１９】
回路ブロック２０５は、操作／表示パネルの制御やホストコンピューターとの通信制御をおこなう。ＡＳＩＣの外部から入力されるキー入力に関する信号やインターフェースの信号の変化を検知して、スタンバイモードの回路ブロックはＣＰＵ２０２に割り込み信号などの指示を出す。指示を受けたＣＰＵ２０２は回路ブロックを動作モードへ移行させる（または、ＡＳＩＣの外部から入力されるキー入力に関する信号もしくはインターフェースの信号の変化があれば、スタンバイモードの回路ブロックはそれぞれ動作モードへ移行しても構わない）。
【００２０】
このように、スタンバイ時に周波数拡散を施さないクロック信号に切換えることにより、周波数生成のための消費電力を抑制することができ、インクジェット記録装置の消費電力の抑制を行うことができる。
【００２１】
＜第２の実施例＞
図１０は第２の実施例の制御回路を説明するブロック図である。図２と異なるのは出力先選択回路１００８が追加されていることである。この出力先選択回路の制御信号はＬ１０ｂであり、ＣＰＵが制御信号を出力する。
【００２２】
周波数拡散発振器の周波数拡散機能スイッチＳＷ１０がオフされると、周波数拡散発振器１００３は動作を停止するので、発振回路１０００から出力されたクロック信号（周波数拡散を施さないクロック信号）がそのまま出力先選択回路１００８へ供給される。
【００２３】
この周波数拡散が施されないクロック信号は、出力先選択回路でＣＰＵ１００２からの指示にしたがって所定の回路ブロックへ出力する。例えば、ホストコンピューターとの通信を行う回路ブロックや、操作／表示パネルの制御を行う回路ブロックへ周波数拡散が施されないクロック信号が出力される。
【００２４】
一方、記録装置の待機状態で制御する必要が無い回路ブロックにはクロック信号は出力されない。例えば、モーター制御を行う回路ブロックや、記録ヘッドの制御を行う回路ブロック、記録データの作成を行う回路ブロックにはクロック信号は出力されない。
【００２５】
このように、周波数拡散発振器の周波数拡散機能を停止させ、さらに所定の回路ブロックにのみクロック信号を供給する（出力する）ことで所定の回路ブロックにのみ周波数拡散を施さないクロック信号を与えるように切換え、制御回路の消費電力を抑制することができる。
【００２６】
＜第３の実施例＞
図３は第３の実施例の制御回路を説明するブロック図である。図２と異なるのはクロック選択回路３０７が追加されていることと、周波数拡散発振器３０３に電源オン／オフのスイッチＰ＿ＳＷ３を有することである。このスイッチＰ＿ＳＷ３はＣＰＵからの制御線Ｌ３ａで切換えられる。
【００２７】
周波数拡散発振器の電源オン／オフするスイッチＰ＿ＳＷ３がオフされると、周波数拡散発振器３０３は動作を停止するので、クロック選択回路３０７へは発振回路３００から出力されたクロック信号（周波数拡散を施さないクロック信号）のみが供給される。
【００２８】
また、スイッチＰ＿ＰＷ３がオンされると、周波数拡散が施されたクロック信号はＡＳＩＣ３０１の回路に供給され、ＡＳＩＣ内部にあるクロック選択回路３０７に入力される。このクロック選択回路３０７では、発振回路３００から出力されたクロック信号（周波数拡散を施さないクロック信号）と周波数拡散発振器（ＳＳＣＧ）３０３から入力したクロック信号（周波数拡散を施したクロック信号）を選択できる。そして選択したクロック信号を回路ブロックに供給する（出力する）。このクロック選択回路はＣＰＵからの制御線Ｌ３ｂ（または指示）で切り替えられる。
【００２９】
このように、スタンバイ時に周波数拡散発振器の電源をオフすることで、周波数拡散発振器の消費電力はゼロとなり、制御回路の消費電力を抑制することができる。
【００３０】
＜第４の実施例＞
図４は第４の実施例の制御回路を説明するブロック図である。図３と異なるのはクロック選択回路の代わりに切り替え回路４０４が追加されていることである。
【００３１】
制御信号Ｌ４ａによって周波数拡散発振器（ＳＳＣＧ）４０３の電源のオン／オフを切り替える。
【００３２】
この切り替え回路４０４は内部にクロック選択回路と出力先選択回路を有する。制御信号Ｌ４ｂをうけて、クロック選択回路がクロック信号を選択し、出力先選択回路は出力先の回路ブロックを選択してクロック信号を出力することができる。なお、回路ブロックを選択しなければ、その選択されない回路ブロックへはクロック信号が出力されない。
【００３３】
以上のように、クロック選択回路で選択されたクロック信号が出力先選択回路で選択された所定の回路ブロックへ供給される。
【００３４】
このように、スタンバイ時に周波数拡散発振器を電源オフさせ、さらに回路ブロックへ供給するクロック信号を選択して出力することで、回路ブロックに与えるクロック信号を切換えて制御回路の消費電力を抑制することができる。
【００３５】
＜第５の実施例＞
図５は第５の実施例の制御回路を説明するブロック図である。第４の実施例で説明した制御回路に周波数変換回路５０６を追加したものである。
【００３６】
周波数変換回路５０６は発振回路５００からのクロック信号を所定の周波数に変換する回路である。この周波数変換回路５０６は周波数Ａのクロック信号を入力して分周を行いＣＰＵ５０２や回路ブロック５０５に周波数Ｂ（周波数Ａより低い）のクロック信号を出力する。
【００３７】
このように、スタンバイ時に周波数を分周したクロック信号を回路ブロックに供給することにより、回路ブロックの消費電力が低下し、制御回路の消費電力をさらに抑制することができる。
【００３８】
＜第６の実施例＞
図１１は第６の実施例の制御回路を説明するブロック図である。第１の実施例で説明した制御回路との違いは、ＡＳＩＣ内の一部の回路ブロックは周波数拡散発振器１１０３からクロック信号を受けずに、常に発振回路１１００から出力されるクロック信号で動作することである。
【００３９】
この回路ブロックは例えば、ＵＳＢのインターフェース制御ブロックである。このＵＳＢのインターフェースはＵＳＢに関する規格を満たすために、周波数拡散されない信号で動作させることが求められているからである。
【００４０】
このように、特定の回路ブロックを除いて、スタンバイ時に周波数拡散を施さないクロック信号を選択することにより、制御回路の消費電力を抑制することができる。
【００４１】
＜その他の実施例＞
以上第１の実施例から第６の実施例では周波数拡散発振器がＡＳＩＣの外部に配置されていたが、図６に示すように周波数拡散発振器（ＳＳＣＧ）６０３はＡＳＩＣ６０１の内部に組み込んでも構わない。さらに、図８で示したＲＯＭ８０２やＲＡＭ８０３のようなメモリ手段をＡＳＩＣ６０１の内部に組み込み１チップの集積回路としても構わない。これにより、回路の小型化、低製造コスト化を実現できる。
【００４２】
また、図７に示すようにＣＰＵ７０２からの指示をうけて、クロック切り替え回路７０４が周波数拡散発振器（ＳＳＣＧ）７０３へ電源オン／オフの切り替えの指示を出しても構わない。
【００４３】
また、図９に示すようにＣＰＵ９０２がＡＳＩＣ９０１の外部にある制御回路でも構わない。
【００４４】
また、ＣＰＵが周波数拡散発振器（ＳＳＣＧ）へ電源オン／オフ（周波数拡散機能のオン／オフ）の制御信号を出力していたが、例えば電力制御をおこなう回路ブロックから電源オン／オフ（周波数拡散機能のオン／オフ）の制御信号を出力しても構わない。
【００４５】
また、上述した実施例では記録ヘッドを用いたインクジェット記録装置に適用した例として説明したが、記録ヘッドの代わりに装着可能なスキャナーカートリッジを用いた画像入力装置にも適用できる。この場合には回路ブロックはスキャナー制御回路ブロックで画像読取の処理をおこなう。このほかコンピューターや携帯機器などにも適用することができる。
【００４６】
なお、ホストコンピューター等の外部機器と通信するためのインターフェースとしてＩＥＥＥ１２８４インターフェースを例にして説明したが、例えばＵＳＢやＩＥＥＥ１３９４など他の方式のインターフェースでもかまわない。また、インターフェースを制御する回路ブロックは１つに限定するものではなく複数有しても構わない。
【００４７】
また、記録ヘッドはノズル数や解像度も実施例で述べた値に限定するものではない。記録素子の駆動部としてピエゾ素子を用いても構わない。
【００４８】
【発明の効果】
本発明によれば、ＡＳＩＣなどの動作状態に応じてクロック生成手段の動作を切り替えることにより、クロック生成手段の消費電力を低減でき、ＡＳＩＣを内蔵している機器全体の総消費電力を抑制することが出来る。
【図面の簡単な説明】
【図１】プリンターの斜視図。
【図２】第１の実施例での制御ブロックの説明図
【図３】第３の実施例での制御ブロックの説明図
【図４】第４の実施例での制御ブロックの説明図
【図５】第５の実施例での制御ブロックの説明図
【図６】その他の実施例での制御ブロックの説明図
【図７】その他の実施例での制御ブロックの説明図
【図８】実施例における記録装置の制御部の説明図
【図９】その他の実施例での制御ブロックの説明図
【図１０】第２の実施例での制御ブロックの説明図
【図１１】第６の実施例での制御ブロックの説明図
【符号の説明】
２００、３００、４００、５００、６００、７００、９００、１０００、１１００  発振回路
２０１、３０１、４０１、５０１、６０１、７０１、９０１，１００１、１１０１  ＡＳＩＣ
２０２、３０２、４０２、５０２、６０２、７０２、９０２、１００２、１１０２  ＣＰＵ
２０３、３０３、４０４、５０３、６０３、７０３、９０３、１００３、１１０３  周波数拡散発振器（ＳＳＣＧ）
２０５、３０５、４０５、５０５、６０５、７０５、９０５、１００５、１１０５  回路ブロック
３０７  クロック選択回路
４０４、５０４、７０４、９０４、  クロック切り替え回路
５０６、７０６  周波数変換回路
８０２  ＲＯＭ
８０３  ＲＡＭ
１００８  出力先選択回路
【図１】
0003997069.tif 000002
【図２】
0003997069.tif 000003
【図３】
0003997069.tif 000004
【図４】
0003997069.tif 000005
【図５】
0003997069.tif 000006
【図６】
0003997069.tif 000007
【図７】
0003997069.tif 000008
【図８】
0003997069.tif 000009
【図９】
0003997069.tif 000010
【図１０】
0003997069.tif 000011
【図１１】
0003997069.tif 000012